(57)【要約】【課題】共通基盤網を含むネットワークを個別網ごとに管理する。【解決手段】ネットワーク監視装置１００が、システムを構成する装置３〜５から、この装置、リンク、パスのネットワークＩＤを含む管理情報を取得する。そして、このネットワークＩＤを含む管理情報をもとに、装置ＤＢ、リンクＤＢおよびパスＤＢを更新する。そして、障害発生時には、ネットワーク監視装置１００は各ＤＢから、この障害が発生した装置またはリンクのネットワークＩＤと同じネットワークＩＤをもつ装置、リンクおよびパスを検索し、検索結果を出力する。【選択図】図１
2008131235.tif 000002
【特許請求の範囲】
【請求項１】
コアネットワークにより提供されるパスを用いて、このコアネットワークに接続する装置が、他の装置へデータ転送を行うシステムにおいて、前記システムを構成する装置から、この装置の管理情報を取得する管理情報取得部と、前記取得した管理情報に基づき、記憶部における、（１）前記システムを構成する装置の装置ＩＤを示した装置情報を格納する装置データベース、（２）前記システムを構成する装置を接続するリンクのリンク情報を格納するリンクデータベースおよび（３）前記装置に設定されたパスが経由するリンクを示したパス情報を格納するパスデータベースを更新するデータベース更新部とを備えるネットワーク監視装置であって、
前記装置情報は、前記装置の属する１以上のユーザネットワークのネットワーク識別子を含み、
前記リンク情報は、前記リンクの属する１以上のユーザネットワークのネットワーク識別子を含み、
前記パス情報は、前記パスの属する１以上のユーザネットワークのネットワーク識別子を含むことを特徴とするネットワーク監視装置。
【請求項２】
前記管理情報は、
前記装置の前記ネットワーク識別子、前記装置に設定されたリンクの前記ネットワーク識別子および前記装置に設定されたパスの前記ネットワーク識別子のうち、少なくともいずれか１つを含み、
前記データベース更新部は、
前記管理情報取得部により取得した前記ネットワーク識別子を含む管理情報をもとに、前記装置データベース、前記リンクデータベースおよび前記パスデータベースの少なくともいずれか１つのデータベースを更新することを特徴とする請求項１に記載のネットワーク監視装置。
【請求項３】
外部から入力された前記ネットワーク識別子をキーとして、前記装置データベース、前記リンクデータベースおよび前記パスデータベースに格納された情報から、前記入力されたネットワーク識別子を含む前記装置情報、前記リンク情報および前記パス情報を検索する検索部を備えることを特徴とする請求項１または請求項２に記載のネットワーク監視装置。
【請求項４】
前記装置から取得した管理情報により、前記システムにおいて障害が発生した装置、リンクまたはパスを特定する障害発生検知部を備え、
前記検索部は、
前記装置データベース、前記リンクデータベースおよび前記パスデータベースに格納された情報から、前記障害発生検知部により特定された前記障害が発生した装置、リンクまたはパスのネットワーク識別子を検索し、前記検索したネットワーク識別子と同じネットワーク識別子をもつ装置、リンクおよびパスを検索することを特徴とする請求項３に記載のネットワーク監視装置。
【請求項５】
請求項１ないし請求項４のいずれか１項に記載のネットワーク監視装置へ、前記管理情報を送信する装置であって、
前記管理情報に、自身の装置の前記ネットワーク識別子、前記装置に設定されたリンクのネットワーク識別子および前記装置に設定されたパスのネットワーク識別子のうち、少なくともいずれか１つを含めて前記ネットワーク監視装置へ送信することを特徴とする装置。
【請求項６】
自身の装置を経由するパスに関するパス情報を格納するパスデータベースと、
前記自身の装置に隣接する装置からパス設定指示情報を受信し、このパス設定指示情報に基づきパスが設定されたとき、前記パス設定指示情報に含まれる前記ネットワーク識別子を、前記パスデータベースにおける前記設定したパスのパス情報に反映するパス管理部と、
を備え、
前記管理情報に含める前記パスのネットワーク識別子として、前記パスデータベースにおける当該パスのパス情報に示されるネットワーク識別子を用いることを特徴とする請求項５に記載の装置。
【請求項７】
自身の装置を経由するパスに関するパス情報を格納するパスデータベースと、
前記自身の装置に隣接する装置へ、前記ネットワーク識別子を含むパス設定指示情報を送信し、このパス設定指示情報に基づきパスが設定されたとき、前記パス設定指示情報に含めた前記ネットワーク識別子を、前記パスデータベースにおける前記パスのパス情報に反映するパス管理部と、
を備え、
前記管理情報に含める前記パスのネットワーク識別子として、前記パスデータベースにおける当該パスのパス情報に示されるネットワーク識別子を用いることを特徴とする請求項５に記載の装置。
【請求項８】
自身の装置を経由するパスに関するパス情報を格納するパスデータベースと、
前記パスにおいて始点となる装置および終点となる装置と、前記装置それぞれの前記ネットワーク識別子とを示した装置情報を格納する装置データベースと、
前記装置データベースを参照して、前記パスの始点となる装置および終点となる装置の前記ネットワーク識別子を、前記パスデータベースにおける当該パスのパス情報に反映するパス管理部と、
を備え、
前記管理情報に含める前記パスのネットワーク識別子として、前記パスデータベースにおける当該パスのパス情報に示されるネットワーク識別子を用いることを特徴とする請求項５に記載の装置。
【請求項９】
自身の装置を経由するパスに関するパス情報を格納するパスデータベースと、
前記システムを構成する装置同士を接続するリンクと、このリンクの前記ネットワーク識別子を示したリンク情報を格納するリンクデータベースと、
前記リンクデータベースを参照して、前記パスにおいて経由するリンクの前記ネットワーク識別子を、前記パスデータベースにおける当該パスのパス情報に反映するパス管理部と、
を備え、
前記管理情報に含める前記パスのネットワーク識別子として、前記パスデータベースにおける当該パスのパス情報に示されるネットワーク識別子を用いることを特徴とする請求項５に記載の装置。
【請求項１０】
コアネットワークにより提供されるパスを用いて、このコアネットワークに接続する装置が、他の装置へデータ転送を行うシステムにおいて、
前記装置が、
前記パスを設定するために用いるパス設定指示情報に、前記パスの属するユーザネットワークのネットワーク識別子を含めて送信するステップを実行し、
前記パス設定指示情報を受信した装置が、
前記ネットワーク識別子を記憶するステップを実行し、
（１）前記システムを構成する装置の装置ＩＤを示した装置情報を格納する装置データベース、（２）前記システムを構成する装置を接続するリンクのリンク情報を格納するリンクデータベースおよび（３）前記装置に設定されたパスが経由するリンクを示したパス情報を格納するパスデータベースを備え、前記システムを構成する装置を監視するネットワーク監視装置が、
前記装置それぞれから、この装置の前記ネットワーク識別子、前記装置に設定されたリンクの前記ネットワーク識別子および前記装置に設定されたパスの前記ネットワーク識別子のうち、少なくともいずれか１つを含む前記装置の管理情報を取得するステップと、
前記取得した前記ネットワーク識別子を含む管理情報をもとに、前記装置データベース、前記リンクデータベースおよび前記パスデータベースのうち少なくともいずれか１つのデータベースを更新するステップとを実行することを特徴とするネットワーク監視方法。
【発明の詳細な説明】
【技術分野】
【０００１】
本発明は、共通基盤網を含むネットワークの監視技術に関する。
【背景技術】
【０００２】
従来、共通基盤網（コアネットワーク）が、複数の個別地域網を収容し、この個別地域網に対してパスを提供して、個別地域網同士を繋ぐ仮想網（個別網）を構築する場合がある。このようにして構築されたネットワークを監視するため、ネットワーク監視装置がＳＮＭＰ（Simple Network Management Protocol）により監視対象の装置のＭＩＢ（Management Information Base）から、この装置のＩＰ（Internet Protocol）アドレス、パスの帯域、経路、リンクの帯域等の情報を取得する技術がある（非特許文献１,２,３参照）。なお、このＳＮＭＰについては、ＲＦＣ（Request For Comment）１１５７、ＲＦＣ１４１１、ＲＦＣ３４１１、ＲＦＣ３４１８等に規定されている。
【非特許文献１】「マスタリング  ＴＣＰ／ＩＰ  入門編」、竹下 隆史、村山 公保、荒井 透、苅田 幸雄著、オーム社、２０００年８月３１日出版、ｐ２５５〜ｐ２５９
【非特許文献２】IETF、「Generalized Multiprotocol Label Switching (GMPLS) Traffic Engineering Management Information Base」、［online］、［平成１８年９月３０日検索］、インターネット、<http://www.ietf.org/internet-drafts/draft-ietf-ccamp-gmpls-te-mib-16.txt>
【非特許文献３】IETF、「Generalized Multiprotocol Label Switching (GMPLS) Label Switching Router (LSR) Management Information Base」、［online］、［平成１８年９月３０日検索］、インターネット、<http://www.ietf.org/internet-drafts/draft-ietf-ccamp-gmpls-lsr-mib-15.txt>
【発明の開示】
【発明が解決しようとする課題】
【０００３】
しかし、このような共通基盤網において、ネットワーク監視装置は、各装置、パス、リンクの属する個別網に関する情報は管理していなかった。このため、ネットワーク監視装置は、共通基盤網を含むネットワークを個別網単位で監視したり、障害が発生したとき、影響のある個別網を迅速に特定したりできないという問題があった。
【０００４】
そこで本発明は、前記した課題を解決し、共通基盤網を含むネットワークを個別網単位で監視したり、障害が発生したとき、影響のある個別網を迅速に特定したりする手段を提供することを目的とする。
【課題を解決するための手段】
【０００５】
前記した課題を解決するため、本発明の請求項１に記載の発明は、コアネットワークにより提供されるパスを用いて、このコアネットワークに接続する装置が、他の装置へデータ転送を行うシステムにおいて、前記システムを構成する装置から、この装置の管理情報を取得する管理情報取得部と、前記取得した管理情報に基づき、記憶部における、（１）前記システムを構成する装置の装置ＩＤを示した装置情報を格納する装置データベース、（２）前記システムを構成する装置を接続するリンクのリンク情報を格納するリンクデータベースおよび（３）前記装置に設定されたパスが経由するリンクを示したパス情報を格納するパスデータベースを更新するデータベース更新部とを備えるネットワーク監視装置であって、前記装置情報は、前記装置の属する１以上のユーザネットワークのネットワーク識別子を含み、前記リンク情報は、前記リンクの属する１以上のユーザネットワークのネットワーク識別子を含み、前記パス情報は、前記パスの属する１以上のユーザネットワークのネットワーク識別子を含む構成とした。
【０００６】
この構成によれば、ネットワーク監視装置が格納する装置情報、リンク情報およびパス情報はそれぞれ、装置、リンクおよびパスの属するユーザネットワーク（個別網）の識別子（ネットワーク識別子）を含む。これにより、ネットワーク監視装置は、各装置、リンクおよびパスが属する個別網を迅速に特定できる。従って、ネットワーク監視装置は、例えば、共通基盤網を含むシステムを個別網単位で監視したり、障害が発生時に影響のある個別網を迅速に特定したりできる。
【０００７】
本発明の請求項２に記載の発明は、請求項１に記載のネットワーク監視装置において、  前記管理情報は、前記装置の前記ネットワーク識別子、前記装置に設定されたリンクの前記ネットワーク識別子および前記装置に設定されたパスの前記ネットワーク識別子のうち、少なくともいずれか１つを含み、前記データベース更新部は、前記管理情報取得部により取得した前記ネットワーク識別子を含む管理情報をもとに、前記装置データベース、前記リンクデータベースおよび前記パスデータベースの少なくともいずれか１つのデータベースを更新する構成とした。
【０００８】
この構成によれば、ネットワーク監視装置は、監視対象である装置から、ネットワーク識別子を含む管理情報を取得し、この管理情報をもとに装置データベース、リンクデータベース、パスデータベースを更新する。つまり、ネットワーク監視装置は、各装置に設定されたネットワーク識別子を、各データベースに反映することができる。なお、この管理情報は、例えば、ＳＮＭＰにより取得するＭＩＢの情報である。また、ネットワーク監視装置は、ネットワーク識別子を取得するとき、このような管理情報とともに取得するので、各装置に拡張を施すことなくネットワーク識別子を取得できる。
【０００９】
本発明の請求項３に記載の発明は、請求項１または請求項２に記載のネットワーク監視装置において、外部から入力された前記ネットワーク識別子をキーとして、前記装置データベース、前記リンクデータベースおよび前記パスデータベースに格納された情報から、前記入力されたネットワーク識別子を含む前記装置情報、前記リンク情報および前記パス情報を検索する検索部を備える構成とした。
【００１０】
この構成によれば、ネットワーク監視装置は、各データベースに格納された情報から、所定のネットワーク識別子を持つ装置、リンクおよびパスを検索することができる。これにより、ネットワーク監視装置は、共通基盤網を含むシステムを個別網単位で監視したり、障害が発生したとき、影響のある個別網を迅速に特定したりできる。
【００１１】
本発明の請求項４に記載の発明は、請求項３に記載のネットワーク監視装置において、前記装置から取得した管理情報により、前記システムにおいて障害が発生した装置、リンクまたはパスを特定する障害発生検知部を備え、前記検索部は、前記装置データベース、前記リンクデータベースおよび前記パスデータベースに格納された情報から、前記障害発生検知部により特定された前記障害が発生した装置、リンクまたはパスのネットワーク識別子を検索し、前記検索したネットワーク識別子と同じネットワーク識別子をもつ装置、リンクおよびパスを検索する構成とした。
【００１２】
この構成によれば、ネットワーク監視装置は、システムに障害が発生したとき、影響のある個別網およびその個別網に含まれる装置、リンク、パスを迅速に特定できる。
【００１３】
本発明の請求項５に記載の発明は、請求項１ないし請求項４のいずれか１項に記載のネットワーク監視装置へ、前記管理情報を送信する装置であって、前記管理情報に、自身の装置の前記ネットワーク識別子、前記装置に設定されたリンクのネットワーク識別子および前記装置に設定されたパスのネットワーク識別子のうち、少なくともいずれか１つを含めて前記ネットワーク監視装置へ送信する構成とした。
【００１４】
この構成によれば、各装置は、ネットワーク監視装置へ、ネットワーク識別子を含む管理情報を送信するので、ネットワーク監視装置は、このネットワーク識別子を各データベースに反映することができる。また、ネットワーク監視装置は、ネットワーク識別子を取得するとき、このような管理情報とともに取得するので、各装置に拡張を施すことなくネットワーク識別子を取得できる。
【００１５】
本発明の請求項６に記載の発明は、請求項５に記載の装置において、自身の装置を経由するパスに関するパス情報を格納するパスデータベースと、前記自身の装置に隣接する装置からパス設定指示情報を受信し、このパス設定指示情報に基づきパスが設定されたとき、前記パス設定指示情報に含まれる前記ネットワーク識別子を、前記パスデータベースにおける前記設定したパスのパス情報に反映するパス管理部とを備え、前記管理情報に含める前記パスのネットワーク識別子として、前記パスデータベースにおける当該パスのパス情報に示されるネットワーク識別子を用いる構成とした。
【００１６】
本発明の請求項７に記載の発明は、請求項５に記載の装置において、自身の装置を経由するパスに関するパス情報を格納するパスデータベースと、前記自身の装置に隣接する装置へ、前記ネットワーク識別子を含むパス設定指示情報を送信し、このパス設定指示情報に基づきパスが設定されたとき、前記パス設定指示情報に含めた前記ネットワーク識別子を、前記パスデータベースにおける前記パスのパス情報に反映するパス管理部と、を備え、前記管理情報に含める前記パスのネットワーク識別子として、前記パスデータベースにおける当該パスのパス情報に示されるネットワーク識別子を用いる構成とした。
【００１７】
この構成によれば、ネットワーク監視装置は、各装置が自律的に設定したパスについても、そのパスのネットワーク識別子を取得することができる。また、各装置は、ネットワーク識別子をパス設定指示情報とともに送受信するので、各装置に拡張を施すことなく、パスの経路となる装置にネットワーク識別子を伝播させることができる。
【００１８】
本発明の請求項８に記載の発明は、請求項５に記載の装置において、自身の装置を経由するパスに関するパス情報を格納するパスデータベースと、前記パスにおいて始点となる装置および終点となる装置と、前記装置それぞれの前記ネットワーク識別子とを示した装置情報を格納する装置データベースと、前記装置データベースを参照して、前記パスの始点となる装置および終点となる装置の前記ネットワーク識別子を、前記パスデータベースにおける当該パスのパス情報に反映するパス管理部と、を備え、前記管理情報に含める前記パスのネットワーク識別子として、前記パスデータベースにおける当該パスのパス情報に示されるネットワーク識別子を用いる構成とした。
【００１９】
この構成によれば、パス設定指示情報にネットワーク識別子を含めることができなかった場合でも、パスデータベースにネットワーク識別子を書き込むことができる。
【００２０】
本発明の請求項９に記載の発明は、請求項５に記載の装置において、自身の装置を経由するパスに関するパス情報を格納するパスデータベースと、前記システムを構成する装置同士を接続するリンクと、このリンクの前記ネットワーク識別子を示したリンク情報を格納するリンクデータベースと、前記リンクデータベースを参照して、前記パスにおいて経由するリンクの前記ネットワーク識別子を、前記パスデータベースにおける当該パスのパス情報に反映するパス管理部と、を備え、前記管理情報に含める前記パスのネットワーク識別子として、前記パスデータベースにおける当該パスのパス情報に示されるネットワーク識別子を用いる構成とした。
【００２１】
この構成によれば、各装置は、装置データベースに、当該パスの始点となる装置または終点となる装置の装置情報がなかった場合でも、パスデータベースにネットワーク識別子を書き込むことができる。
【００２２】
本発明の請求項１０に記載の発明は、コアネットワークにより提供されるパスを用いて、このコアネットワークに接続する装置が、他の装置へデータ転送を行うシステムにおいて、前記装置が、前記パスを設定するために用いるパス設定指示情報に、前記パスの属するユーザネットワークのネットワーク識別子を含めて送信するステップを実行し、前記パス設定指示情報を受信した装置が、前記ネットワーク識別子を記憶するステップを実行し、（１）前記システムを構成する装置の装置ＩＤを示した装置情報を格納する装置データベース、（２）前記システムを構成する装置を接続するリンクのリンク情報を格納するリンクデータベースおよび（３）前記装置に設定されたパスが経由するリンクを示したパス情報を格納するパスデータベースを備え、前記システムを構成する装置を監視するネットワーク監視装置が、前記装置それぞれから、この装置の前記ネットワーク識別子、前記装置に設定されたリンクの前記ネットワーク識別子および前記装置に設定されたパスの前記ネットワーク識別子のうち、少なくともいずれか１つを含む前記装置の管理情報を取得するステップと、前記取得した前記ネットワーク識別子を含む管理情報をもとに、前記装置データベース、前記リンクデータベースおよび前記パスデータベースのうち少なくともいずれか１つのデータベースを更新するステップとを実行することを特徴とするネットワーク監視方法とした。
【００２３】
この方法によれば、ネットワーク監視装置は、監視対象である装置から、ネットワーク識別子を含む管理情報を取得し、この管理情報をもとに装置データベース、リンクデータベースおよびパスデータベースを更新する。つまり、ネットワーク監視装置は、各装置に設定されたネットワーク識別子を、データベースに反映することができる。従って、ネットワーク監視装置は、各装置、リンクおよびパスが属する個別網を迅速に特定できる。また、ネットワーク監視装置は、例えば、共通基盤網を含むシステムを個別網単位で監視したり、障害が発生時に影響のある個別網を迅速に特定したりできる。なお、前記したとおり、この管理情報は、例えば、ＳＮＭＰにより取得するＭＩＢである。また、ネットワーク監視装置は、ネットワーク識別子を取得するとき、このような管理情報とともに取得するので、各装置に拡張を施すことなくネットワーク識別子を取得できる。
【発明の効果】
【００２４】
本発明によれば、ネットワーク監視装置は、各装置、パス、リンクの情報を個別網ごとに管理できる。これにより、ネットワーク監視装置は、共通基盤網を含むシステムを個別網単位で監視したり、共通基盤網に障害が発生したとき、影響のある個別網を迅速に特定したりできる。
【発明を実施するための最良の形態】
【００２５】
以下、本発明を実施するための最良の形態（以下、実施の形態という）を、図面を参照しながら説明する。
【００２６】
図１は、本実施の形態のシステムの構成を例示した図である。図１に示すように、システムは、個別地域網１０（１０Ａ,１０Ｂ,１０Ｃ,１０Ｄ）と、この個別地域網１０を収容し、パスを提供する共通基盤網（コアネットワーク）２０と、ネットワーク監視装置１００とを含んで構成される。共通基盤網２０は、ＳＯＮＥＴ／ＳＤＨ（Synchronous Optical NETwork/Synchronous Digital Hierarchy）クロスコネクトや、波長クロスコネクト等の伝送装置により構成されるネットワークである。
【００２７】
なお、パスとは、装置（ネットワーク接続機器）間を接続する伝送媒体（リンク）により、装置間に設定される通信路のことである。このパスにより、例えば、個別地域網１０Ａの装置１と個別地域網１０Ｂの装置６とを接続する個別網（ユーザネットワーク）３０Ａや、個別地域網１０Ｃの装置２と個別地域網１０Ｄの装置７とを接続する個別網３０Ｂが構築される。また、各装置は、パスを設定するとき、パス設定指示情報を交換する。つまり、各装置はシグナリング等によりパス設定に必要な情報を交換して、パス設定を行う。
【００２８】
なお、図１に示すように、個別地域網１０Ａには、装置１が設置され、個別地域網１０Ｂには、装置６が設置される。また、個別地域網１０Ｃには、装置２が設置され、個別地域網１０Ｄには、装置７が設置される。さらに、装置１,３間、装置３,５間、装置５,６間、装置２,３、装置３,４、装置４,５および装置５,７間は、光ファイバ等のリンクにより接続される。この個別地域網１０は、ＬＡＮ（Local Area Network）であってもよいし、ＩＰ（Internet Protocol）網であってもよい。
【００２９】
共通基盤網２０は、個別地域網１０の各装置にパスを提供し、この装置間のデータ転送を可能とする。この共通基盤網２０は、装置３,４,５を備える。この装置３,４,５は、ＳＯＮＥＴ／ＳＤＨクロスコネクトや、波長クロスコネクト等の伝送装置である。
【００３０】
ネットワーク監視装置１００は、ＳＮＭＰ等、各装置の監視を行うための通信プロトコルを備え、この通信プロトコルにより、システムを構成する各装置の状態を監視する。つまり、ネットワーク監視装置１００は、各装置から、この装置の管理情報を取得し、この管理情報により装置の状態を監視する。
【００３１】
なお、この管理情報は、この装置自体の情報や、この装置に設定されたリンクの情報、この装置を経由するパスの情報等を含む。また、この管理情報に含まれる情報は、その装置、リンクおよびパスの属する個別網３０のネットワークＩＤ（ネットワーク識別子）を含む。ネットワーク監視装置１００は、このような管理情報を取得することにより、装置、リンク、パス等の属する個別網３０に関する情報も管理することができる。これにより、ネットワーク監視装置１００は、各装置に障害が発生したとき、障害により影響を受ける個別網３０や、装置、リンク等を迅速に特定できる。
【００３２】
なお、ネットワーク監視装置１００は、共通基盤網２０の装置３，４，５から管理情報を取得することとするが、個別地域網１０の装置１，２，６，７からも管理情報を取得してもよい。
【００３３】
以下、このようなネットワーク監視装置１００が監視対象とするネットワークの構成を説明する。
【００３４】
個別網３０（３０Ａ,３０Ｂ）にはそれぞれ、個別網３０を識別するための識別子（ネットワークＩＤ）が割り当てられる。例えば、個別地域網１０Ａ,１０Ｂの属する個別網３０ＡのネットワークＩＤを「１」とする。また、個別地域網１０Ｃ,１０Ｄの属する個別網３０ＢのネットワークＩＤを「２」とする。この個別網３０に割当てられたネットワークＩＤは、ネットワーク監視装置１００に記録される。
【００３５】
図１において、装置３,５は、装置１,６間のパスを提供する。つまり、装置３,５は、個別地域網１０Ａ,１０Ｂ間を接続するパスを提供し、これにより個別網３０Ａが構築される。また、装置３,４,５は、個別地域網１０Ｃ,１０Ｄ間を接続するパスを提供し、個別網３０Ｂが構築される。
【００３６】
また、この装置３，４，５は、前記したＳＮＭＰによりネットワーク監視装置１００へ自身の管理情報を送信するとき、その装置の属する個別網３０のネットワークＩＤ等を送信する。
【００３７】
なお、個別地域網１０および共通基盤網２０の数は、図１に示す個数に限定されない。また、このネットワーク監視装置１００は、図１に示した装置１〜７とは別個の装置としたが、装置１〜７の中にネットワーク監視装置１００の機能を組み込み、装置１〜７により実現するようにしてもよい。
【００３８】
＜装置＞
ここで、適宜図１を参照しつつ、図２を用いて、装置１〜７の構成を説明する。図２は、図１の装置の構成を示した図である。ここでは、代表して装置３について説明するが、装置１,２,４,５,６,７も同じ構成である。
【００３９】
図２に示すように、装置３は、データの入出力を司る入出力部３１０と、パスを設定したり、ネットワーク監視装置１００からの要求に応じて管理情報を送信したりする処理部３２０と、設定したパスに関する情報や管理情報を格納する記憶部３３０とを備える。
【００４０】
入出力部３１０は、外部接続される装置とのデータ入出力を行うための入出力インタフェースや、ネットワーク経由でデータ入出力を行うためのネットワークインタフェース等から構成される。また、処理部３２０は、この装置３が備えるＣＰＵ（Central Processing Unit）によるプログラム実行処理や、専用回路等により実現される。記憶部３３０は、ＲＡＭ（Random Access Memory）、ＲＯＭ（Read Only Memory）、ＨＤＤ（Hard Disk Drive）、フラッシュメモリ等の記憶媒体から構成される。また、図示を省略しているが、この記憶部３３０には、この装置３の機能を実現するためのプログラムが格納されている。
【００４１】
入出力部３１０は、入力部３１１と、出力部３１２とを備える。入力部３１１は、ネットワーク監視装置１００からの管理情報の取得要求等、外部から入力された情報を処理部３２０へ受け渡す。出力部３１２は、処理部３２０により処理された情報をネットワーク監視装置１００や、他の装置へ出力する。
【００４２】
処理部３２０は、データベース更新部３２４と、パス設定部３２５と、管理情報送信部３２６とを備える。
【００４３】
データベース更新部３２４は、記憶部３３０におけるデータベース３３４を更新する。このデータベース更新部３２４は、装置管理部３２１と、パス管理部３２２と、リンク管理部３２３とを含む。
【００４４】
装置管理部３２１は、後記する装置ＤＢ（データベース）３３１へ情報を書き込んだり、読み出したりする。例えば、入力部３１１経由で、装置ＩＤや、この装置のネットワークＩＤが入力されると、この情報を装置情報として装置ＤＢ３３１に書き込む。また、管理情報送信部３２６からの指示に基づき、装置ＤＢ３３１に格納された装置情報を読み出す。
【００４５】
パス管理部３２２は、後記するパスＤＢ３３２へ情報を書き込んだり、読み出したりする。例えば、この装置３を経由するパスが設定されたとき、シグナリングにより受信した当該パスの始点装置ＩＤや終点装置ＩＤ、経路、パスのネットワークＩＤ等をパス情報としてパスＤＢ３３２に書き込む。また、管理情報送信部３２６からの指示に基づき、パスＤＢ３３２に格納されたパス情報を読み出す。
【００４６】
リンク管理部３２３は、後記するリンクＤＢ３３３へ情報を書き込んだり、読み出したりする。例えば、入力部３１１経由で、リンクのＡ端装置ＩＤやＺ端装置ＩＤ、このリンクのネットワークＩＤ等が入力されると、この情報をリンク情報としてリンクＤＢ３３３に書き込む。また、管理情報送信部３２６からの指示に基づき、リンクＤＢ３３３に格納されたリンク情報を読み出す。
【００４７】
パス設定部３２５は、隣接する装置との間で、パスを設定するためのパス設定指示情報を交換し、パスを設定する。つまり、パス設定部３２５は、隣接する装置との間でシグナリングを行い、パス設定を行う。なお、このときのパス設定指示情報には、このパスに関するネットワークＩＤを含めて送信する。これにより、パスのイニシエータとなった装置に設定されたネットワークＩＤが、このパスにおいて経由する各装置に伝播する。そして、各装置のパスＤＢ３３２に、当該パスのネットワークＩＤが記録されることになる。
【００４８】
管理情報送信部３２６は、入力部３１１経由で、ネットワーク監視装置１００からの管理情報の取得要求を受け取ると、自身の装置３の管理情報をネットワーク監視装置１００へ送信する。つまり、管理情報送信部３２６は、装置管理部３２１、パス管理部３２２およびリンク管理部３２３経由で、データベース３３４から装置情報、パス情報、リンク情報を読み出すと、これらの情報を管理情報としてネットワーク監視装置１００へ送信する。このときの管理情報は、前記したとおり、ネットワークＩＤを含むものである。なお、このときの管理情報の送信は、例えば、前記したＳＮＭＰにより行われる。
【００４９】
次に、記憶部３３０のデータベース３３４について説明する。データベース３３４は、装置ＤＢ３３１と、パスＤＢ３３２と、リンクＤＢ３３３とを備える。
【００５０】
装置ＤＢ３３１は、装置情報を格納する。この装置情報には、例えば、自身の装置の装置ＩＤや、自身の装置に隣接する装置の装置ＩＤ、自身がパスの一端となっているとき、他端となる装置の装置ＩＤ等が示される。また、それぞれの装置の属する個別網３０のネットワークＩＤもあわせて示される。
【００５１】
図３（ａ）は、図２の装置ＤＢを例示した図である。例えば、図３（ａ）に示す装置ＤＢ３３１において、装置３およびこの装置３に隣接する装置１〜５の装置ＩＤと、この装置１〜５の属する個別網３０のネットワークＩＤが示される。この装置ＩＤは、システム全体または個別地域網１０ごとに、装置を一意に識別するための情報であり、ＩＰアドレス等を用いる。
【００５２】
例えば、図３（ａ）において、装置ＩＤが「１９２．１６８．２．２」である装置２の属する個別網３０のネットワークＩＤは「２」であることを示す。なお、共通基盤網２０の装置（例えば、装置３）に関するネットワークＩＤは、図３（ａ）に示すように特に記載しないようにしてもよいし、この装置を経由するパスのネットワークＩＤを記載するようにしてもよい。この場合、この装置上を複数のパスが経由するときには、これにあわせて複数のネットワークＩＤが記載されることになる。また、この装置ＤＢ３３１は、自身の装置に隣接する装置以外の情報や、装置ごとの管理用アドレスを含んでいてもよい。この管理用アドレスは、この装置にアクセスするためのアドレスであり、例えば、ＩＰアドレスを用いる。
【００５３】
パスＤＢ３３２は、パス情報を格納する。このパス情報には、自身の装置を経由するパスの経路や、そのパスの属する個別網３０のネットワークＩＤが示される。例えば、このパス情報には、図２に示すように、パスごとに、始点装置ＩＤ、終点装置ＩＤ、パスＩＤ、経路、帯域、ネットワークＩＤ等の情報が示される。始点装置ＩＤは、そのパスにおいて始点となっている装置の装置ＩＤである。終点装置ＩＤは、そのパスにおいて終点となっている装置の装置ＩＤである。パスＩＤは、パスを一意に識別する情報である。経路とは、そのパスが経由するリンクのリストを示す情報である。このリストは、経由する装置の装置ＩＤと、その装置におけるＩＦ  ＩＤ（インタフェースＩＤ）とを、接続される順に示したものである。帯域とは、そのパスの帯域を示す情報である。ネットワークＩＤは、そのパスの属する個別網３０のネットワークＩＤである。
【００５４】
図３（ｂ）は、図２のパスＤＢを例示した図である。例えば、図３（ｂ）に示すパスＤＢ３３２において、装置１−装置６間のパスは、始点装置ＩＤが「１９２．１６８．１．１」、終点装置ＩＤが「１９２．１６８．６．６」、パスＩＤが「１」であることを示す。また、このパスの経路は、装置ＩＤが「１９２．１６８．１．１」の装置のＩＦ  ＩＤ「１」のインタフェースから、装置ＩＤが「１９２．１６８．３．３」の装置のＩＦ  ＩＤ「３」のインタフェース、装置ＩＤが「１９２．１６８．５．５」の装置のＩＦ  ＩＤ「３」のインタフェースを経由して、装置ＩＤが「１９２．１６８．６．６」の装置のＩＦ  ＩＤ「１」のインタフェースへ至るものであることを示す。また、このパスの帯域は「１０Ｇ（ｂｐｓ）」、ネットワークＩＤは「１」であることを示す。
【００５５】
リンクＤＢ３３３は、リンク情報を格納する。このリンク情報には、このシステム全体のリンクに関する情報が示される。このリンク情報には、リンクの両端の装置のＩＦ  ＩＤ等の情報示される。例えば、このリンク情報には、図２に示すように、リンクごとに、そのリンクのＡ端装置ＩＤ、Ａ端ＩＦ  ＩＤ、Ｚ端装置ＩＤ、Ｚ端ＩＦ  ＩＤ、帯域、残余帯域、ネットワークＩＤ等の情報が示される。Ａ端装置ＩＤは、リンクの一端となっている装置の装置ＩＤである。Ａ端ＩＦ  ＩＤは、そのＡ端装置でリンクを一意に識別する情報である。Ｚ端装置ＩＤは、そのリンクにおいてもう一方の端になっている装置の装置ＩＤである。Ｚ端ＩＦ  ＩＤは、そのＺ端装置でリンクを一意に識別する情報である。帯域は、そのリンクの最大利用可能帯域を示す情報である。残余帯域は、そのリンクの残余帯域を示す情報である。ネットワークＩＤは、そのリンクが属する個別網３０のネットワークＩＤである。
【００５６】
図３（ｃ）は、図２のリンクＤＢを例示した図である。例えば、図３（ｃ）に示すリンクＤＢ３３３において、装置１−装置３間のリンクは、Ａ端末装置ＩＤが「１９２．１６８．１．１」であり、Ａ端ＩＦ  ＩＤが「１」であり、Ｚ端末装置ＩＤが「１９２．１６８．３．３」であり、Ｚ端ＩＦ  ＩＤが「１」であり、帯域が「１０Ｇ（ｂｐｓ）」であり、残余帯域が「０Ｇ（ｂｐｓ）」であり、ネットワークＩＤが「１」であることを示す。
【００５７】
なお、前記した装置ＤＢ３３１およびリンクＤＢ３３３の情報は、例えば、システムの管理者等が、ネットワーク経由で設定入力する。
【００５８】
また、装置ＤＢ３３１、パスＤＢ３３２およびリンクＤＢ３３３において、各装置情報、パス情報およびリンク情報に設定されるネットワークＩＤは複数であってもよい。
【００５９】
＜ネットワーク監視装置＞
次に、図１を参照しつつ、図４を用いて、ネットワーク監視装置１００を詳細に説明する。図４は、図１のネットワーク監視装置の構成を示したブロック図である。
【００６０】
ネットワーク監視装置１００は、前記したとおり、共通基盤網２０の装置３,４,５から管理情報を取得する。そして、この管理情報を、記憶部１３０（後記）に格納する。
【００６１】
このようなネットワーク監視装置１００は、図４に示すように、データの入出力を司る入出力部１１０と、各装置から管理情報を取得し、記憶部１３０に格納する処理部１２０と、この管理情報を格納する記憶部１３０とを備える。入出力部１１０は、外部接続される装置とのデータ入出力を行うための入出力インタフェースや、ネットワーク経由でデータ入出力を行うためのネットワークインタフェース等から構成される。また、処理部１２０は、このネットワーク監視装置１００のＣＰＵによるプログラム実行処理や、専用回路等により実現される。記憶部１３０は、ＲＡＭ、ＲＯＭ、ＨＤＤ、フラッシュメモリ等の記憶媒体から構成される。また、図示を省略しているが、この記憶部１３０には、このネットワーク監視装置１００の機能を実現するためのプログラムが格納されている。なお、このネットワーク監視装置１００には、キーボードやマウス等の入力装置１４０や、液晶モニタ等の出力装置１５０が接続されていてもよい。
【００６２】
入出力部１１０は、各装置からの管理情報等の入力を受け付け、処理部１２０へ受け渡す入力部１１１と、処理部１２０による演算処理結果を出力する出力部１１２とを含む。
【００６３】
処理部１２０は、データベース１３４の更新を行うデータベース更新部１２４と、管理情報取得部１２５と、検索部１２６と、障害発生検知部１２７と、表示処理部１２８とを含んで構成される。
【００６４】
データベース更新部１２４は、装置管理部１２１と、パス管理部１２２と、リンク管理部１２３とを含んで構成される。
【００６５】
装置管理部１２１は、装置ＤＢ１３１へ情報を書き込んだり、読み出したりする。例えば、管理情報取得部１２５が取得した管理情報や、入力部１１１経由で入力された、装置ＩＤやネットワークＩＤを装置情報として装置ＤＢ１３１に書き込む。
【００６６】
パス管理部１２２は、パスＤＢ１３２へ情報を書き込んだり、読み出したりする。例えば、管理情報取得部１２５が取得した管理情報をもとに、このパスの始点装置ＩＤや終点装置ＩＤ、経路およびパスのネットワークＩＤ等をパス情報としてパスＤＢ１３２に書き込む。
【００６７】
リンク管理部１２３は、リンクＤＢ１３３へ情報を書き込んだり、読み出したりする。例えば、管理情報取得部１２５が取得した管理情報をもとに、リンクのＡ端装置ＩＤやＺ端装置ＩＤ、このリンクのネットワークＩＤ等をリンク情報としてリンクＤＢ３３３に書き込む。
【００６８】
管理情報取得部１２５は、ＳＮＭＰ等により外部の装置（例えば、装置３〜５）から管理情報を取得する。このときの管理情報は、各装置のネットワークＩＤを含むものである。そして、取得した管理情報は、データベース更新部１２４により、データベース１３４に反映される。つまり、管理情報に含まれる情報のうち、装置に関する情報は、装置管理部１２１により装置ＤＢ１３１に書き込まれ、パスに関する情報は、パス管理部１２２によりパスＤＢ１３２に書き込まれ、リンクに関する情報は、リンク管理部１２３によりリンクＤＢ１３３に書き込まれる。つまり、装置から送信される管理情報は、当該装置のネットワークＩＤ、当該装置に設定されたリンクのネットワーク識別子および当該装置に設定されたパスの前記ネットワーク識別子のうち、少なくともいずれか１つを含み、データベース更新部１２４は、管理情報取得部１２５により取得したネットワークＩＤを含む管理情報をもとに、装置ＤＢ１３１、リンクＤＢ１３３およびパスＤＢ１３２の少なくともいずれか１つのデータベースを更新する。
【００６９】
検索部１２６は、データベース１３４に格納された情報を検索する。例えば、データベース１３４から、所定のネットワークＩＤを持つ、装置ＩＤ、パス、リンク等を検索する。
【００７０】
障害発生検知部１２７は、管理情報取得部１２５が取得した管理情報により、障害が発生した装置、リンク、パス等を特定する。
【００７１】
表示処理部１２８は、データベース１３４に格納された装置情報、パス情報、リンク情報等をもとに個別網３０の各装置の状態を表示した表示画面を作成する。そして、作成した画面を出力部１１２経由で、出力装置１５０等に表示する。このときの表示画面例については、図７を用いて後記する。
【００７２】
次に、記憶部１３０のデータベース１３４について説明する。データベース１３４は、装置ＤＢ１３１と、パスＤＢ１３２と、リンクＤＢ１３３とを含んで構成される。図５（ａ）は、図４の装置ＤＢを例示した図であり、（ｂ）は、図４のパスＤＢを例示した図であり、（ｃ）は、図４のリンクＤＢを例示した図である。
【００７３】
装置ＤＢ１３１は、前記した装置１〜７の装置ＤＢ３３１と同様に、各装置の装置情報を格納する（図５（ａ）参照）。この装置情報も、当該装置のネットワークＩＤを含むものである。なお、装置１〜７の装置ＤＢ３３１との違いは、装置ＤＢ３３１にはシステムの一部の装置の装置情報が格納されるが、装置ＤＢ１３１には、システム全体における装置の装置情報が格納される点である。
【００７４】
パスＤＢ１３２は、前記した装置１〜７のパスＤＢ３３２と同様に、パス情報を格納する（図５（ｂ）参照）。このパス情報も、当該パスのネットワークＩＤを含む。なお、装置１〜７のパスＤＢ３３２との違いは、パスＤＢ３３２には自身の装置を経由するパスのパス情報が格納されるが、パスＤＢ１３２には、システム全体におけるパスのパス情報が格納される点である。
【００７５】
リンクＤＢ１３３は、前記した装置１〜７のリンクＤＢ３３３と同様に、ネットワークＩＤを含むリンク情報を格納する（図５（ｃ）参照）。
【００７６】
なお、この装置ＤＢ１３１、パスＤＢ１３２、リンクＤＢ１３３においても、各装置、パス、リンクに設定されるネットワークＩＤは複数であってもよい。
【００７７】
＜動作手順＞
次に、図２および図４を参照しつつ、図６（ａ）および（ｂ）を用いて、図１のシステムの動作を説明する。まず、図６（ａ）を用いて、装置３，５が自身のパスＤＢ３３２にネットワークＩＤを含むパス情報を記録する手順を説明する。図６（ａ）は、図１の各装置がパス設定により、パスＤＢにネットワークＩＤを含むパス情報を記録する手順を示したフローチャートである。
【００７８】
ここでは、図１の装置１と装置６との間のパス設定時に、装置３，５がそれぞれ、パスＤＢ３３２にパス情報を記録する場合を例に説明する。
【００７９】
まず、装置３のパス設定部３２５は、隣接する装置である装置５へ、ネットワークＩＤを含むパス設定指示情報を送信する（Ｓ６０１）。つまり、パス設定部３２５は、パスの始点装置ＩＤ、終点装置ＩＤ、経路（経由するリンク）等、一般的なパス設定指示情報に、当該パスに設定するネットワークＩＤを含めて送信する。また、このときのパス設定指示情報の送信のトリガは、他の装置からパス設定指示情報を受信したことでもよいし、装置３自身にパス設定指示要求が入力されたことでもよい。
【００８０】
装置５は、装置３から当該パスのネットワークＩＤを含むパス設定指示情報を受信する（Ｓ６０２）。そして、このパス設定指示情報を記憶部３３０に記憶しておく。
【００８１】
この後、図１の装置１と装置６との間にパスが設定されると（Ｓ６０３）、装置５のパス管理部３２２は、記憶部３３０に記憶しておいたパス設置指示情報を読み出し、この情報をもとに自身のパスＤＢ３３２に当該パスのパス情報を書き込む（Ｓ６０４）。このとき書き込むパス情報は、パス設定指示情報に含まれていたネットワークＩＤを含むものである。
【００８２】
同様に、装置３も、パス設置指示情報をもとに自身のパスＤＢ３３２に、当該パスのパス情報を書き込む（Ｓ６０５）。このときのパス情報には、パス設定指示情報に含まれていたネットワークＩＤも含める。このようにして、装置３，５は、自身のパスＤＢ３３２にネットワークＩＤを含むパス情報を書き込む。
【００８３】
なお、ここでは説明を省略したが、他の装置である装置１，２，４，６，７も同様の手順により、パスＤＢ３３２にネットワークＩＤを含むパス情報を書き込む。
【００８４】
続いて、図６（ｂ）を用いて、ネットワーク監視装置１００が、装置３，４，５からそれぞれのネットワークＩＤを含む管理情報を取得し、データベース１３４を更新する手順を説明する。図６（ｂ）は、図１のネットワーク監視装置が、装置からそれぞれのネットワークＩＤを含む管理情報を取得し、データベースを更新する手順を示したフローチャートである。
【００８５】
まず、ネットワーク監視装置１００の管理情報取得部１２５は、装置３，４，５に対して管理情報の取得要求を送信する（Ｓ６０６）。これを受信した、装置３，４，５の管理情報送信部３２６は、データベース３３４から、自身の管理情報（装置ＤＢ３３１の装置情報、パスＤＢ３３２のパス情報およびリンクＤＢ３３３のリンク情報）を読み出す。そして、管理情報送信部３２６は、この管理情報をネットワーク監視装置１００へ送信する（Ｓ６０７）。なお、この管理情報も、装置、パスおよびリンクのネットワークＩＤを含むものである。
【００８６】
ネットワーク監視装置１００の管理情報取得部１２５は、装置３,４,５から管理情報を受信すると、これをデータベース更新部１２４に受け渡し、データベース更新部１２４はこの管理情報をもとにデータベース１３４を更新する（Ｓ６０８）。
【００８７】
つまり、管理情報のうち、装置に関する情報ついては、装置管理部１２１が、装置情報として装置ＤＢ１３１に書き込む。パスに関する情報については、パス管理部１２２が、パス情報としてパスＤＢ１３２に書き込む。リンク情報については、リンク管理部１２３が、リンク情報としてリンクＤＢ１３３に書き込む。このようにして、各データベースには各装置、リンクおよびパスのネットワークＩＤ付きの情報が登録されることになる。
【００８８】
このようにすることで、ネットワーク監視装置１００は、このネットワーク監視装置１００からの指示により設定したパスのみならず、各装置が自律的に設定したパスについても、このパスのネットワークＩＤを記録することができる。
【００８９】
＜画面例＞
次に、このようなネットワークＩＤ付きの情報が登録されたデータベース１３４の情報を参照して、表示処理部１２８が表示する画面を、図７（ａ）、（ｂ）および（ｃ）を用いて説明する。図７（ａ）、（ｂ）および（ｃ）は、図４の表示処理部が出力装置１５０等に表示する画面を例示した図である。図７（ａ）、（ｂ）および（ｃ）に示す画面例において、図１と同様に、実線はリンクを示し、太線はパスを示す。また、□は、共通基盤網２０の装置であることを示す。さらに、○は、ネットワークＩＤ「１」の個別地域網１０の装置であることを示し、△は、ネットワークＩＤ「２」の個別地域網１０の装置であることを示す。
【００９０】
例えば、図４の表示処理部１２８は、入力部１１１経由で、ネットワーク全体の表示要求が入力されると、データベース１３４に格納された装置情報、パス情報およびリンク情報を参照して、図７（ａ）に例示するような画面を出力装置１５０等に表示する。このような画面により、ネットワーク全体の構成の他に、例えば、共通基盤網２０の装置３,５は、ネットワークＩＤ「１」の個別網３０にパスを提供していることが示される。また、共通基盤網２０の装置３,４,５は、ネットワークＩＤ「２」の個別網３０にパスを提供していることが示される。
【００９１】
また、例えば、入力部１１１経由で、ネットワークＩＤ「１」の個別網３０の表示要求が入力された場合、検索部１２６は、データベース１３４の情報から、ネットワークＩＤ「１」に関する装置情報、パス情報およびリンク情報を検索する。例えば、図５（ａ）、（ｂ）および（ｃ）に例示した情報から、ネットワークＩＤ「１」に関する装置情報、パス情報およびリンク情報を検索し、図８（ａ）、（ｂ）および（ｃ）に示す装置情報、パス情報およびリンク情報を得る。
【００９２】
そして、表示処理部１２８は、この検索された装置情報、パス情報およびリンク情報をもとに、図７（ｂ）に例示するような、ネットワークＩＤ「１」の個別網３０のネットワーク構成（装置、リンク、パス等）を出力装置１５０等に表示する。
【００９３】
さらに、ネットワークＩＤ「２」の個別網３０の表示要求が入力されたときも、同様に検索部１２６はデータベース１３４から、ネットワークＩＤ「２」に関する装置情報、パス情報およびリンク情報を検索し、表示処理部１２８は、図７（ｃ）に例示するようなネットワークＩＤ「２」の個別網３０のネットワーク構成を出力装置１５０等に表示する。
【００９４】
このようにして、ネットワーク監視装置１００は、個別網３０のネットワークＩＤごとにシステム構成を表示するので、ネットワークを構成する装置、リンクおよびパスの属する個別網３０を迅速に特定することができる。また、ネットワーク監視装置１００が、図７（ａ）、（ｂ）および（ｃ）に例示するような画面を表示することで、ネットワークの管理者等は、個別網３０の状態を視覚的に把握しやすくなる。
【００９５】
＜障害検知時の動作＞
続いて、図２および図４を参照しつつ、図９を用いて、ネットワーク監視装置１００が、ネットワークの障害を検知したときの動作手順を説明する。図９は、図４のネットワーク監視装置がネットワークの障害を検知したときの動作手順を示したフローチャートである。
【００９６】
まず、ネットワーク監視装置１００の障害発生検知部１２７（図４参照）は、管理情報取得部１２５により取得された管理情報から、ネットワークの障害を検知すると（Ｓ９０１のＹｅｓ）、その障害が発生した装置、リンクまたはパスを特定する（Ｓ９０２）。
【００９７】
そして、検索部１２６は、装置ＤＢ１３１およびリンクＤＢ１３３から、この障害が発生した装置、リンクまたはパスのネットワークＩＤを検索する（Ｓ９０３）。つまり、検索部１２６は、どの個別網３０に障害が発生したかを判断する。
【００９８】
次に、検索部１２６は、Ｓ９０３において検索したネットワークＩＤをキーとして、このネットワークＩＤと同じネットワークＩＤを持つ装置、リンクおよびパスを、データベース１３４から検索する（Ｓ９０４）。つまり、検索部１２６は、障害が発生した個別網３０における装置の装置、リンクおよびパスを検索する。
【００９９】
そして、検索部１２６は、この検索結果を表示処理部１２８へ出力する（Ｓ９０５）。この後、表示処理部１２８は、出力装置１５０等に、障害が発生した個別網３０の情報を表示する。このときの表示画面は、例えば、図１０に示すように、障害が発生した個別網３０のネットワーク構成や、その個別網３０において障害が発生している装置の情報を表示する。図１０に示す画面例において、ネットワークＩＤ「１」の個別網３０の装置５に障害が発生したことを示している。ネットワークの障害発生時に、このような画面を表示することで、ネットワークの管理者等は、障害により影響を受ける個別網３０や、障害が発生している装置を迅速に確認することができる。
【０１００】
なお、障害発生検知部１２７において障害を検知したとき、表示処理部１２８は、図１０に示すように障害が発生した個別網３０の情報のみを表示するようにしてもよいし、他の個別網３０の情報もあわせて表示するようにしてもよい。また、ネットワーク監視装置１００が、個別網３０において障害が発生したときには、その個別網３０のユーザの端末装置等に、当該個別網３０に障害が発生したことを通知するようにしてもよい。このときの通知は、例えば電子メール等により行う。
【０１０１】
なお、ネットワーク監視装置１００は、この個別網３０を構成する装置、リンクおよびパスの情報を、外部の装置からの送信要求に応じて送信するようにしてもよい。例えば、外部の装置から、ネットワークＩＤ「１」の個別網３０を構成する装置、リンクおよびパスの情報の送信要求を受け付けたとき、データベース１３４から、ネットワークＩＤ「１」の個別網３０を構成する装置、リンクおよびパスの情報を読み出し、この送信要求の要求元の装置へ送信する。このとき、ネットワーク監視装置１００は、確かにこの装置が前記した情報を送信してもよいユーザ（管理者）の装置であることを確認するため、この装置との間で認証処理を行うようにしてもよい。このようにすることで、個別網３０の情報が部外者に見られるのを防止できる。
【０１０２】
なお、前記した実施の形態において、ネットワーク監視装置１００のデータベース１３４に格納される装置、パスおよびリンクのネットワークＩＤは、装置３,４,５（または装置１,２,６,７）から送信された管理情報をもとに書き込むものとしたが、これに限定されない。例えば、ネットワークの管理者等が、直接、入力装置１４０から、各装置、パスおよびリンクのネットワークＩＤを入力して、データベース１３４に書き込むようにしてもよい。
【０１０３】
また、装置１〜７において、自身のパスＤＢ３３２に各パスのネットワークＩＤを書き込むとき、装置ＤＢ３３１やリンクＤＢ３３３に設定されたネットワークＩＤを用いるようにしてもよい。
【０１０４】
ここでは、図１の装置１が、図１１に例示するような装置ＤＢ３３１（図１１（ａ）参照）、パスＤＢ３３２（図１１（ｂ）参照）およびリンクＤＢ３３３（図１１（ｃ）参照）を備える場合を例に説明する。
【０１０５】
まず、装置１のパス管理部３２２が、装置ＤＢ３３１に設定されたネットワークＩＤを用いて、パスＤＢ３３２を各パスのネットワークＩＤを書き込む場合について説明する。
【０１０６】
装置１と装置６との間にパスが設定されたとき、装置１のパス管理部３２２は、パスＤＢ３３２（図１１（ｂ）参照）に、設定されたパスの始点装置ＩＤおよび終点装置ＩＤ、パスＩＤ、経路等、ネットワークＩＤ以外の情報を書き込む。次に、パス管理部３２２は、このパスＤＢ３３２から、このパスに関する始点装置ＩＤおよび終点装置ＩＤを読み出す。例えば、パス管理部３２２は、パスＤＢ３３２からこのパスの始点装置ＩＤ「１９２．１６８.１．１」および終点装置ＩＤ「１９２．１６８.６．６」を読み出す。次に、装置管理部３２１は、装置ＤＢ３３１（図１１（ａ）参照）を参照して、この始点装置ＩＤおよび終点装置ＩＤのネットワークＩＤ（例えば、ネットワークＩＤ「１」）を読み出す。そして、パス管理部３２２は、読み出したネットワークＩＤを、パスＤＢ３３２における装置１と装置６との間パスのネットワークＩＤとして書き込む。このような方法によって、パスＤＢ３３２にネットワークＩＤを書き込むようにしてもよい。
【０１０７】
次に、リンクＤＢ３３３に設定されたネットワークＩＤを用いる場合について説明する。
【０１０８】
装置１と装置６との間にパスが設定されたとき、装置１のパス管理部３２２は、前記したのと同様、パスＤＢ３３２（図１１（ｂ）参照）に、設定されたパスの始点装置ＩＤおよび終点装置ＩＤ、パスＩＤ、経路等、ネットワークＩＤ以外の情報を書き込む。次に、パス管理部３２２は、このパスＤＢ３３２から、このパスの経路を読み出す。例えば、パス管理部３２２は、パスＤＢ３３２から、このパスの経路である「（１９２．１６８.１．１,１）,（１９２．１６８.３．３,３）,（１９２．１６８.５．５,３）,（１９２．１６８.６．６,１）」という情報を読み出す。そして、リンク管理部３２３は、リンクＤＢ３３３（図１１（ｃ）参照）から、この経路に対応するネットワークＩＤ（例えば、ネットワークＩＤ「１」）を読み出す。そして、パス管理部３２２は、このネットワークＩＤを、パスＤＢ３３２における装置１と装置６との間のパスのネットワークＩＤとして書き込む。このような方法によって、パスＤＢ３３２にネットワークＩＤを書き込むようにしてもよい。
【０１０９】
本実施の形態に係るネットワーク監視装置１００および装置１〜７は、前記したような処理を実行させるプログラムによって実現することができ、そのプログラムをコンピュータによる読み取り可能な記憶媒体に記憶して提供することが可能である。また、そのプログラムを、ネットワークを通して提供することも可能である。
【図面の簡単な説明】
【０１１０】
【図１】本実施の形態のシステムの構成を例示した図である。
【図２】図１の装置の構成を示した図である。
【図３】（ａ）は、図２の装置ＤＢを例示した図であり、（ｂ）は、図２のパスＤＢを例示した図であり、（ｃ）は、図２のリンクＤＢを例示した図である。
【図４】図１のネットワーク監視装置の構成を示したブロック図である。
【図５】（ａ）は、図４の装置ＤＢを例示した図であり、（ｂ）は、図４のパスＤＢを例示した図であり、（ｃ）はリンクＤＢを例示した図である。
【図６】（ａ）は、図１の各装置がパス設定により、パスＤＢにネットワークＩＤを含むパス情報を記録する手順を示したフローチャートであり、（ｂ）は、図１のネットワーク監視装置が、装置からそれぞれのネットワークＩＤを含む管理情報を取得し、データベースを更新する手順を示したフローチャートである。
【図７】（ａ）、（ｂ）および（ｃ）は、図４の表示処理部が表示する画面を例示した図である。
【図８】図４の検索部が検索した情報を例示した図である。
【図９】図４のネットワーク監視装置がネットワークの障害を検知したときの動作手順を示したフローチャートである。
【図１０】図４の表示処理部が表示する画面を例示した図である。
【図１１】（ａ）は、図１の装置の装置ＤＢを例示した図であり、（ｂ）は、図１の装置のパスＤＢを例示した図であり、（ｃ）は、図１の装置のリンクＤＢを例示した図である。
【符号の説明】
【０１１１】
１,２,３,４,５,６,７  装置
１０（１０Ａ,１０Ｂ,１０Ｃ,１０Ｄ）  個別地域網
２０    共通基盤網（コアネットワーク）
３０（３０Ａ,３０Ｂ）  個別網（ユーザネットワーク）
１００  ネットワーク監視装置
１１０,３１０  入出力部
１１１,３１１  入力部
１１２,３１２  出力部
１２０,３２０  処理部
１２１,３２１  装置管理部
１２２,３２２  パス管理部
１２３,３２３  リンク管理部
１２４,３２４  データベース更新部
１２５  管理情報取得部
１２６  検索部
１２７  障害発生検知部
１２８  表示処理部
１３０,３３０  記憶部
１３１,３３１  装置ＤＢ
１３２,３３２  パスＤＢ
１３３,３３３  リンクＤＢ
１３４,３３４  データベース
１４０  入力装置
１５０  出力装置
３２５  パス設定部
【図１】
2008131235.tif 000003
【図２】
2008131235.tif 000004
【図３】
2008131235.tif 000005
【図４】
2008131235.tif 000006
【図５】
2008131235.tif 000007
【図６】
2008131235.tif 000008
【図７】
2008131235.tif 000009
【図８】
2008131235.tif 000010
【図９】
2008131235.tif 000011
【図１０】
2008131235.tif 000012
【図１１】
2008131235.tif 000013